(57)【要約】【課題】ロック画面で所定の機能に対する設定レベルを容易に設定可能とする。【解決手段】情報処理装置は、所定の機能を実現する機能部６０と、入力操作子の近接又は接触を検出する入力検出部６１と、入力検出部６１の少なくとも一部の検出を制限する入力検出制限部６２と、入力検出制限部６２が入力検出部６１の少なくとも一部の検出を制限している場合に、機能部６０における動作レベルを、入力検出部６１で検出可能な所定の操作に基づく設定レベルに設定する設定部６３とを備えている。【選択図】図７
2014137623.tif 000002
【特許請求の範囲】
【請求項１】
所定の機能を実現する機能部と、
入力操作子の近接又は接触を検出する入力検出部と、
前記入力検出部の少なくとも一部の検出を制限する入力検出制限部と、
前記入力検出制限部が前記入力検出部の少なくとも一部の検出を制限している場合に、前記機能部における動作レベルを、前記入力検出部で検出可能な所定の操作に基づく設定レベルに設定する設定部と
を備えることを特徴とする情報処理装置。
【請求項２】
前記入力検出部で検出可能な前記所定の操作に基づいて、前記入力検出制限部による少なくとも一部の検出に対する制限を解除する入力検出制限解除部を更に備える
ことを特徴とする請求項１に記載の情報処理装置。
【請求項３】
前記所定の操作は、前記機能部における動作レベルに対応する複数の設定レベルに対応し、
前記設定部は、前記機能部における動作レベルを、前記入力検出部による所定の操作に対応する設定レベルに設定する
ことを特徴とする請求項１または２に記載の情報処理装置。
【請求項４】
誤操作を防止するためのロック画面を表示する表示部と、
前記入力操作子による操作に応じて画面上を移動可能なロック解除アイコンと、ロック解除に対応するロック解除位置アイコンと、前記機能部における動作レベルに対応する設定レベルアイコンとを、前記ロック画面上に表示させる表示制御部と
を更に備え、
前記設定部は、前記入力検出部によって、前記ロック解除アイコンが前記設定レベルアイコンの位置に移動させられたことが検出されると、前記機能部における動作レベルを、前記設定レベルアイコンに対応する設定レベルに設定する
ことを特徴とする請求項１から３のいずれかに記載の情報処理装置。
【請求項５】
前記表示制御部は、前記ロック解除位置アイコンと前記設定レベルアイコンとを、前記ロック解除アイコンの周囲に配置する
ことを特徴とする請求項４に記載の情報処理装置。
【請求項６】
前記表示制御部は、前記ロック解除位置アイコンと前記設定レベルアイコンとを、前記ロック解除アイコンに対して、縦一列に配置する
ことを特徴とする請求項４に記載の情報処理装置。
【請求項７】
前記表示制御部は、前記ロック解除アイコンと前記設定レベルアイコンと前記ロック解除位置アイコンとを、横一列に配置する
ことを特徴とする請求項４に記載の情報処理装置。
【請求項８】
前記表示制御部は、前記ロック解除アイコンと前記ロック解除位置アイコンとを横一列に配置し、更に前記入力操作子による操作によって画面上を移動可能な設定レベル指示アイコンを前記表示部に表示するとともに、該設定レベル指示アイコンの周囲に前記設定レベルアイコンを配置する
ことを特徴とする請求項４に記載の情報処理装置。
【請求項９】
入力操作子の近接又は接触を検出するステップと、
前記入力操作子による少なくとも一部の検出を制限するステップと、
前記入力操作子による少なくとも一部の検出を制限している場合に、所定の機能における動作レベルを、前記入力操作子による検出可能な所定の操作に基づく設定レベルに設定するステップと
を含むことを特徴とする動作設定方法。
【請求項１０】
コンピュータに、
入力操作子の近接又は接触を検出する入力検出機能、
前記入力操作子による少なくとも一部の検出を制限する入力検出制限機能、
前記入力操作子による少なくとも一部の検出を制限している場合に、所定の機能における動作レベルを、前記入力操作子による検出可能な所定の操作に基づく設定レベルに設定する設定機能
を実行させることを特徴とするプログラム。
【発明の詳細な説明】
【技術分野】
【０００１】
本発明は、情報処理装置、動作設定方法、及びプログラムに関する。
【背景技術】
【０００２】
近年、スマートフォンやタブレット端末などの情報処理装置では、表示部への操作を検出するタッチパネルを備え、表示部への操作に基づいて各種の処理を実行するようになっている。このような情報処理装置では、表示部への誤操作を防止するためのロック画面を表示するものがある。そのロック画面から別の画面に遷移させるための操作（すなわち、ロックを解除するための操作）には様々なものがあるが、一例としては、ロック画面に表示されているロック解除アイコンを特定の位置まで移動させる操作がある。
【０００３】
例えば、特許文献１には、タッチパネルを備えた表示部上で、スライダを、スクリーンの一部を横切って（横断して）ドラッグすることでロックを解除する技術が提案されている。
【０００４】
また、特許文献２には、表示部に複数のアプリケーションの各々に対応するアイコンを表示し、起動したいアプリケーションに対応するアイコンをロック解除用のアイコン上にドラッグ＆ドロップすることで、ロック解除と対応するアプリケーションの起動とを同時に行う技術が提案されている。
【先行技術文献】
【特許文献】
【０００５】
【特許文献１】特表２０１０−５４１０４６号公報
【特許文献２】特開２０１２−１３３７８７号公報
【発明の概要】
【発明が解決しようとする課題】
【０００６】
ところで、上述した情報処理装置には、電池寿命を少しでも延ばすため、消費電力に影響する動作を制限する機能（以後、エコモードと呼ぶ）がある。該エコモードでは、一般的に、ユーザ操作によって動作を制限する段階を示す設定レベルを数段階で変更できるようになっている。エコモードにおける動作の設定レベルを変更するには、ロック画面でロック解除した後、何段階かの操作を行ってメニューを辿り、エコモードの設定レベルを設定するための設定画面に到達する必要がある。しかしながら、電池残量によっては、あるいはその時の使い方によっては、すぐに設定レベルを切り替えたい場合がある。上述した特許文献１、２は、ロック画面では、上述のようなロック解除をするための操作しか受け付けず、エコモードなど、所定の機能に対する設定レベルを設定することができないという問題があった。
【０００７】
そこで本発明は、ロック画面で所定の機能に対する設定レベルを容易に設定することができる情報処理装置、動作設定方法、及びプログラムを提供することを目的とする。
【課題を解決するための手段】
【０００８】
本発明の情報処理装置は、所定の機能を実現する機能部と、入力操作子の近接又は接触を検出する入力検出部と、前記入力検出部の少なくとも一部の検出を制限する入力検出制限部と、前記入力検出制限部が前記入力検出部の少なくとも一部の検出を制限している場合に、前記機能部における動作レベルを、前記入力検出部で検出可能な所定の操作に基づく設定レベルに設定する設定部とを備えることを特徴とする情報処理装置である。
【０００９】
本発明の動作設定方法は、入力操作子の近接又は接触を検出するステップと、前記入力操作子による少なくとも一部の検出を制限するステップと、前記入力操作子による少なくとも一部の検出を制限している場合に、所定の機能における動作レベルを、前記入力操作子による検出可能な所定の操作に基づく設定レベルに設定するステップとを含むことを特徴とする動作設定方法である。
【００１０】
本発明のプログラムは、コンピュータに、入力操作子の近接又は接触を検出する入力検出機能、前記入力操作子による少なくとも一部の検出を制限する入力検出制限機能、前記入力操作子による少なくとも一部の検出を制限している場合に、所定の機能における動作レベルを、前記入力操作子による検出可能な所定の操作に基づく設定レベルに設定する設定機能を実行させることを特徴とするプログラムである。
【発明の効果】
【００１１】
この発明によれば、ロック画面で所定の機能に対する設定レベルを容易に設定することができる。
【図面の簡単な説明】
【００１２】
【図１】本発明の第１実施形態による情報処理装置１の構成を示すブロック図である。
【図２】本第１実施形態の情報処理装置１によるロック画面処理を説明するためのフローチャートである。
【図３】本第１実施形態の情報処理装置１によるロック画面における操作遷移を示す模式図である。
【図４】本第２実施形態によるロック画面における操作遷移を示す模式図である。
【図５】本第３実施形態によるロック画面における操作遷移を示す模式図である。
【図６】本第４実施形態によるロック画面における操作遷移を示す模式図である。
【図７】付記１の構成を示すブロック図である。
【発明を実施するための形態】
【００１３】
以下、本発明の実施の形態を、図面を参照して説明する。
【００１４】
Ａ.第１実施形態
図１は、本発明の第１実施形態による情報処理装置１の構成を示すブロック図である。図において、情報処理装置１は、通信部１０、ＲＯＭ（Ｒｅａｄ  Ｏｎｌｙ  Ｍｅｍｏｒｙ）１１、ＲＡＭ（Ｒａｎｄｏｍ  Ａｃｃｅｓｓ  Ｍｅｍｏｒｙ）１２、タッチパネル１３、表示部１４、キー操作部１５、及びＣＰＵ１６を備えている。通信部１０は、携帯電話通信網に接続可能な通信機能や、無線ＬＡＮ（Ｌｏｃａｌ  Ａｒｅａ  Ｎｅｔｗｏｒｋ）の規格に従い、所定のアクセスポイントに接続可能な無線通信機能などを有し、携帯電話通信網やインターネットなどに接続する。
【００１５】
ＲＯＭ１１は、後述するＣＰＵ１６により実行されるプログラムや動作等に必要とされる各種パラメータなどを記憶している。ＲＡＭ１２は、ＣＰＵ１６がプログラムを実行した際の一時的なデータや、各種アプリケーションプログラム、アプリケーションの実行に必要な各種パラメータ、コンテンツなどのデータを記憶する。なお、上記ＲＯＭ１１、ＲＡＭ１２は、フラッシュメモリ等の書き換え可能な不揮発性メモリであってもよい。
【００１６】
タッチパネル１３は、指やスタイラス（ペン）などの直接接触を検出する接触検出型、あるいは、指やスタイラス（ペン）などが近づいたことを検出する近接検出型からなる。タッチパネル１３としては、例えば、後述する表示部１４の画面の全面にタッチセンサなどの検出部を重ね合わせた外付け型や、一体で製造されている内蔵型（内蔵型には、さらに、オンセル型とインセル型がある）であってもよい。また、タッチパネル１３への入力操作子としては、上述したように、指やスタイラス（ペン）などを用いる。
【００１７】
表示部１４は、液晶表示器や有機ＥＬ（Ｅｌｅｃｔｒｏ  Ｌｕｍｉｎｅｓｃｅｎｃｅ）表示器などからなり、特定の機能やアプリケーションなどに紐付けられているアイコンや、アプリケーションの動作画面、ソフトウェアキーボードなどを表示する。ユーザは、表示部１４に表示されるアイコンを、タッチパネル１３を介して指やスタイラス（ペン）でタッチ操作することで、そのアイコンに紐付けられているアプリケーションや機能などを起動させたり、起動しているアプリケーションや設定画面上でソフトウェアキーボードを呼び出し、タッチパネル１３を介して指やスタイラス（ペン）でキーをタッチ操作することで、数字や文字を入力したりする。本実施形態では、電源投入後、表示部１４は、誤操作を防止するためのロック画面を表示する。
【００１８】
キー操作部１５は、電源スイッチやボリュームスイッチなどのハードウェアスイッチからなる。ＣＰＵ１６は、上述したＲＯＭ１１に記憶されているプログラムを実行することで各部の動作を制御する。本第１実施形態では、ＣＰＵ１６は、電源投入後、表示部１４に、誤操作を防止するためのロック画面を表示させる。また、ＣＰＵ１６は、ロック画面上のロック解除アイコンに対するユーザによるタッチ操作による移動先（ドラッグ＆ドロップ先）や移動経路などに応じて、ロック解除、所定の機能に対する設定レベルの設定、あるいはロック解除と設定レベルの設定などを実行する。
【００１９】
図２は、本第１実施形態の情報処理装置１によるロック画面処理を説明するためのフローチャートである。また、図３（ａ）〜（ｃ）は、本第１実施形態の情報処理装置１によるロック画面における操作遷移を示す模式図である。
【００２０】
まず、図３（ａ）を参照して、本第１実施形態によるロック画面の構成について説明する。図３（ａ）に示すように、ロック画面２０ａには、中央部にロック解除アイコン３０が配置されている。また、該ロック解除アイコン３０を中心にして、周囲にロック解除位置アイコン３１、設定レベルアイコン４０、４１、４２が配置されている。設定レベルアイコン４０は、設定レベル＃１、設定レベルアイコン４１は、設定レベル＃２、また、設定レベルアイコン４２は、設定レベル＃２に対応している。なお、設定レベルの関係は、例えば、＃１＜＃２＜＃３となっているものとする。
【００２１】
次に、図２を参照して、本第１実施形態の情報処理装置１によるロック画面処理について説明する。ＣＰＵ１６は、電源が投入されると、まず、表示部１４にロック画面を表示する（ステップＳ１０）。次に、ロック解除アイコン３０がタッチ操作されたか否かを判別する（ステップＳ１２）。そして、ロック解除アイコン３０がタッチ操作されていない場合には（ステップＳ１２のＮＯ）、ＣＰＵ１６は、ステップＳ１０に戻り、ロック解除アイコン３０がタッチ操作されるまで待機する。
【００２２】
一方、ロック解除アイコン３０がタッチ操作された場合には（ステップＳ１２のＹＥＳ）、ＣＰＵ１６は、ロック解除アイコン３０をタッチ操作しているユーザの指（入力操作子）などがロック解除位置アイコン３１の位置まで移動したか否かを判別する（ステップＳ１４）。そして、ロック解除アイコン３０をタッチ操作しているユーザの指などがロック解除位置アイコン３１の位置まで移動した場合には（ステップＳ１４のＹＥＳ）、ＣＰＵ１６は、ロック解除を実行する（ステップＳ１６）。なお、ここでは、ロック解除を実行せずに、ロック解除を許可することを示すロック解除フラグを「１」とすることが望ましい。ロック解除フラグは、電源投入時や、上記ステップＳ１０の前後で初期化（「１」以外の値）されるものとする。実際のロック解除は、後述するステップで、上記ロック解除フラグを参照することで実行する。
【００２３】
一方、ロック解除アイコン３０をタッチ操作しているユーザの指などがロック解除位置アイコン３１の位置まで移動していない場合には（ステップＳ１４のＮＯ）、あるいは、上記ステップＳ１６でロック解除された後、ＣＰＵ１６は、ロック解除アイコン３０をタッチ操作している操作子（ユーザの指など）が設定レベルアイコン４０、４１、４２のいずれかの位置に移動したか否かを判別する（ステップＳ１８）。そして、ロック解除アイコン３０をタッチ操作しているユーザの指などが設定レベルアイコン４０、４１、４２のいずれかの位置に移動した場合には（ステップＳ１８のＹＥＳ）、ＣＰＵ１６は、ロック解除アイコン３０が移動した、設定レベルアイコンに応じて、エコモードの設定レベルを設定する（ステップＳ２０）。
【００２４】
例えば、ロック解除アイコン３０をタッチ操作しているユーザの指などが設定レベルアイコン４０の位置に移動した場合には、ＣＰＵ１６は、エコモードを設定レベル＃１に設定する。また、ＣＰＵ１６は、ロック解除アイコン３０をタッチ操作しているユーザの指などが設定レベルアイコン４１の位置に移動した場合には、エコモードを設定レベル＃２に設定し、ロック解除アイコン３０が設定レベルアイコン４２の位置に移動した場合には、エコモードを設定レベル＃３に設定する。一方、ロック解除アイコン３０をタッチ操作しているユーザの指などが設定レベルアイコン４０、４１、４２のいずれの位置にも移動していない場合には（ステップＳ１８のＮＯ）、設定レベルを設定（変更）しない。
【００２５】
なお、上述した処理では、ロック解除アイコン３０をタッチ操作しているユーザの指などがロック解除位置アイコン３１の位置に移動した後、設定レベルアイコン４０、４１、４２のいずれかの位置に移動した場合、及びロック解除アイコン３０をタッチ操作しているユーザの指などがロック解除位置アイコン３１の位置に移動されずに、直接、設定レベルアイコン４０、４１、４２のいずれかの位置に移動した場合でも、エコモードの動作として、最終的に移動した設定レベルアイコン４０、４１、４２に応じた設定レベルを設定する。
【００２６】
その後、ＣＰＵ１６は、ロック解除であるか否か、すなわちロック解除フラグが「１」であるか否かを判別し（ステップＳ２２）、ロック解除でない場合（ロック解除フラグが「０」の場合）には（ステップＳ２２のＮＯ）、ステップＳ１０に戻り、ロック画面の表示を継続する。一方、ロック解除である場合（ロック解除フラグが「１」の場合）には（ステップＳ２２のＹＥＳ）、ＣＰＵ１６は、アプリケーションを起動するためのアイコン等を配置したメニュー画面を起動し、表示部１４に表示することで、ロック解除を完了する（ステップＳ２４）。その後、ユーザのタッチ操作に応じてアプリケーションなどを起動する、通常の動作へ移行する。なお、何らかの個人認証（指紋、声紋、顔などの生体認証や、予め登録されたタッチ操作を行う認証方法など）を設定している場合には、ステップＳ２４の前に、個人認証処理を実行してもよい。
【００２７】
ここで、具体的な操作例について、図３（ａ）〜（ｃ）を参照して説明する。
まず、図３（ａ）に示す第１の操作例では、ユーザが中央のロック解除アイコン３０をタッチ操作し（ロック画面２０ｂ）、該ロック解除アイコン３０をタッチ操作しているユーザの指などを、ロック解除位置アイコン３１の位置まで移動させると（ロック画面２０ｃ）、ＣＰＵ１６は、ロック解除を実施する。なお、ロック解除アイコン３０は、移動中、移動方向を示すロック解除アイコン３０ａとなる（ロック画面２０ｃ）。
【００２８】
また、図３（ｂ）に示す第２の操作例では、ユーザが中央のロック解除アイコン３０をタッチ操作し、該ロック解除アイコン３０をタッチ操作しているユーザの指などを、設定レベルアイコン４０の位置まで移動させると（ロック画面２１）、ＣＰＵ１６は、エコモードを設定レベル＃１に設定する。なお、ロック解除アイコン３０は、移動中、移動方向を示すロック解除アイコン３０ａとなる（ロック画面２１）。
【００２９】
また、図３（ｃ）に示す第３の操作例では、ユーザが中央のロック解除アイコン３０をタッチ操作し、その後、該ロック解除アイコン３０をタッチ操作しているユーザの指などを、ロック解除位置アイコン３１の位置まで移動させ（ロック画面２２ａ）、そのままタッチ操作を継続した状態で、ロック解除アイコン３０をタッチ操作している指などを、設定レベルアイコン４０の位置まで移動させると（ロック画面２２ｂ）、ＣＰＵ１６は、エコモードを設定レベル＃１に設定するとともに、ロック解除を実施する。なお、ロック解除アイコン３０は、移動中、移動方向を示すロック解除アイコン３０ａとなる（ロック画面２２ｂ）。
【００３０】
なお、図３（ｂ）に示す第２の操作例では、直接、ロック解除アイコン３０をタッチ操作しているユーザの指などを、設定レベルアイコン４０の位置まで移動させると、ロック解除を行うことなく、エコモードを設定レベル＃１に設定したが、これに限らず、エコモードを設定レベル＃１に設定するとともに、ロック解除を実施するようにしてもよい。
【００３１】
上述した第１実施形態によれば、ロック画面において、エコモードの動作レベルを制限するための設定レベルと紐付けた設定レベルアイコン４０、４１、４２を配置し、ロック解除アイコン３０をタッチ操作しているユーザの指などを、設定レベルアイコン４０、４１、４２の位置まで移動させる操作にて所定の機能に対する設定レベルの設定を実施するようにしたので、ロック画面でエコモードに対する設定レベルを容易に設定することができる。
【００３２】
また、上述した第１実施形態によれば、ロック解除アイコン３０をタッチ操作しているユーザの指などを、設定レベルアイコン４０、４１、４２の位置まで移動させる操作で、設定レベルの設定に加えて、ロック解除を確定させるようにしたので、一連の操作でエコモードに対する設定レベルの設定とロック解除とを容易に実施することができる。
【００３３】
また、上述した第１実施形態によれば、全ての操作の距離を同じとし、かつ操作方向で明確に設定内容を分けているので、誤操作を防止しつつ、容易に操作することができる。
【００３４】
Ｂ．第２実施形態
次に、本発明の第２実施形態について説明する。
なお、本第２実施形態による情報処理端末１の構成は、前述した第１実施形態（図１）と同様であるので説明を省略する。また、情報処理端末１によるロック画面処理も、前述した第１実施形態（図２）と同様であるので説明を省略する。本第２実施形態では、ロック画面の構成が第１実施形態と異なる。
【００３５】
図４（ａ）、（ｂ）は、本第２実施形態によるロック画面における操作遷移を示す模式図である。図４（ａ）に示すように、ロック画面２３ａには、左側の下部にロック解除アイコン３０が配置されている。また、該ロック解除アイコン３０に対して、右側にロック解除位置アイコン３１、設定レベルアイコン４０、４１、４２が縦一列に配置されている。設定レベルアイコン４０は、設定レベル＃１、設定レベルアイコン４１は、設定レベル＃２、また、設定レベルアイコン４２は、設定レベル＃２に対応している。なお、設定レベルの関係は、例えば、＃１＜＃２＜＃３となっているものとする。
【００３６】
まず、図４（ａ）に示す第１の操作例では、ユーザがロック解除アイコン３０をタッチ操作し（ロック画面２３ｂ）、該ロック解除アイコン３０をタッチ操作しているユーザの指などを、設定レベルアイコン４１の位置まで移動させると（ロック画面２３ｃ）、ＣＰＵ１６は、エコモードを設定レベル＃２に設定する。なお、ロック解除アイコン３０は、移動中、移動方向を示すロック解除アイコン３０ａとなる（ロック画面２３ｃ）。
【００３７】
また、図４（ｂ）に示す第２の操作例では、ユーザがロック解除アイコン３０をタッチ操作し、その後、該ロック解除アイコン３０をタッチ操作しているユーザの指などを、ロック解除位置アイコン３１の位置まで移動させ（ロック画面２４ａ）、そのままタッチ操作を継続した状態で、ロック解除アイコン３０をタッチ操作している指などを、設定レベルアイコン４１の位置まで移動させると（ロック画面２４ｂ）、ＣＰＵ１６は、エコモードを設定レベル＃２に設定するとともに、ロック解除を実施する。なお、ロック解除アイコン３０は、移動中、移動方向を示すロック解除アイコン３０ａとなる（ロック画面２４ｂ）。
【００３８】
なお、図４（ａ）に示す第１の操作例では、直接、ロック解除アイコン３０をタッチ操作しているユーザの指などを、設定レベルアイコン４１の位置まで移動させると、ロック解除を行うことなく、エコモードを設定レベル＃２に設定したが、これに限らず、エコモードを設定レベル＃２に設定するとともに、ロック解除を実施するようにしてもよい。
【００３９】
上述した第２実施形態によれば、エコモードにおける動作レベルを制限するための設定レベルアイコン４０〜４２を、縦一列に並べることにより、一目で設定レベルを認識することができ、直感的、かつ容易に設定操作することができる。
【００４０】
Ｃ．第３実施形態
次に、本発明の第３実施形態について説明する。
なお、本第３実施形態による情報処理端末１の構成は、前述した第１実施形態（図１）と同様であるので説明を省略する。また、情報処理端末１によるロック画面処理も、前述した第１実施形態（図２）と同様であるので説明を省略する。本第２実施形態では、ロック画面の構成が第１、第２実施形態と異なる。
【００４１】
図５（ａ）、（ｂ）は、本第３実施形態によるロック画面における操作遷移を示す模式図である。図５（ａ）に示すように、ロック画面２５ａには、左側からロック解除アイコン３０、設定レベルアイコン４０、４１、４２、そして、右端にロック解除位置アイコン３１が横一列に配置されている。設定レベルアイコン４０は、設定レベル＃１、設定レベルアイコン４１は、設定レベル＃２、また、設定レベルアイコン４２は、設定レベル＃２に対応している。なお、設定レベルの関係は、例えば、＃１＜＃２＜＃３となっているものとする。
【００４２】
まず、図５（ａ）に示す第１の操作例では、ユーザがロック解除アイコン３０をタッチ操作し（ロック画面２５ｂ）、該ロック解除アイコン３０をタッチ操作しているユーザの指などを、設定レベルアイコン４２の位置まで移動させると（ロック画面２５ｃ）、ＣＰＵ１６は、エコモードを設定レベル＃３に設定する。なお、ロック解除アイコン３０は、移動中、移動方向を示すロック解除アイコン３０ａとなる（ロック画面２５ｃ）。
【００４３】
また、図５（ｂ）に示す第２の操作例では、ユーザがロック解除アイコン３０をタッチ操作し（ロック画面２６ａ）、その後、該ロック解除アイコン３０をタッチ操作しているユーザの指などを、ロック解除位置アイコン３１の位置まで移動させ（ロック画面２６ｂ）、そのままタッチ操作を継続した状態で、ロック解除アイコン３０をタッチ操作している指などを、設定レベルアイコン４２の位置まで移動させると（ロック画面２６ｃ）、ＣＰＵ１６は、エコモードを設定レベル＃３に設定するとともに、ロック解除を実施する。なお、ロック解除アイコン３０は、移動中、移動方向を示すロック解除アイコン３０ａとなる（ロック画面２６ｃ）。
【００４４】
なお、図５（ａ）に示す第１の操作例では、直接、ロック解除アイコン３０をタッチ操作しているユーザの指などを、設定レベルアイコン４２の位置まで移動させると、ロック解除を行うことなく、エコモードを設定レベル＃３に設定したが、これに限らず、エコモードを設定レベル＃３に設定するとともに、ロック解除を実施するようにしてもよい。
【００４５】
上述した第３実施形態によれば、エコモードにおける動作レベルを制限するための設定レベルアイコン４０〜４２を、横一列に並べることにより横方向だけの操作としたので、容易に操作することができ、また、操作の移動距離で設定レベルを把握することができ、ロック解除と設定レベルの設定とを、直感的、かつ容易に操作することができる。
【００４６】
Ｄ．第４実施形態
次に、本発明の第４実施形態について説明する。
なお、本第４実施形態による情報処理端末１の構成は、前述した第１実施形態（図１）と同様であるので説明を省略する。また、情報処理端末１によるロック画面処理も、前述した第１実施形態（図２）と同様であるので説明を省略する。本第４実施形態では、ロック画面の構成が第１、第２、第３実施形態と異なる。
【００４７】
図６（ａ）、（ｂ）は、本第４実施形態によるロック画面における操作遷移を示す模式図である。図６（ａ）に示すように、ロック画面２７ａの下側には、ロック解除アイコン３０とロック解除位置アイコン３１とが横一列に配置されている。また、ロック画面２７ａの上側には、設定レベル指定アイコン５０を中心に時計回りに、設定レベルアイコン４０（９時方向）、設定レベルアイコン４１（１２時方向）、設定レベルアイコン４２（３時方向）が配置されている。設定レベルアイコン４０は、設定レベル＃１、設定レベルアイコン４１は、設定レベル＃２、また、設定レベルアイコン４２は、設定レベル＃２に対応している。なお、設定レベルの関係は、例えば、＃１＜＃２＜＃３となっているものとする。
【００４８】
まず、図６（ａ）に示す第１の操作例では、ユーザが設定レベル指定アイコン５０をタッチ操作し（ロック画面２７ｂ）、該設定レベル指定アイコン５０をタッチ操作しているユーザの指などを、設定レベルアイコン４２の位置まで移動させると（ロック画面２７ｃ）、ＣＰＵ１６は、エコモードを設定レベル＃３に設定する。なお、ロック解除アイコン３０は、移動中、移動方向を示す設定レベル指定アイコン５０ａとなる（ロック画面２７ｃ）。
【００４９】
また、図６（ｂ）に示す第２の操作例では、ユーザがロック解除アイコン３０をタッチ操作し（ロック画面２８ａ）、その後、該ロック解除アイコン３０をタッチ操作しているユーザの指などを、ロック解除位置アイコン３１の位置まで移動させると（ロック画面２８ｂ）、ＣＰＵ１６は、ロック解除を実施する。なお、ロック解除アイコン３０は、移動中、移動方向を示すロック解除アイコン３０ａとなる（ロック画面２８ｂ）。
【００５０】
上述した第４実施形態によれば、ロック解除の操作と設定レベルの設定操作とを分離したので、ロック解除と設定レベルの設定とを、一目で認識することができ、直感的、かつ容易に操作することができる。
【００５１】
なお、上述した第１乃至第４実施形態では、複数の設定レベルのうち、所望する設定レベルへの設定を可能としたが、これに限らず、１つの設定レベルの切り替え（通常とエコモードとの切り替え、あるいはエコモードのオン／オフ）であってもよい。
【００５２】
また、上述した第１乃至第４実施形態では、エコモードの設定レベルを設定する例について説明したが、エコモードだけではなく、ユーザの使用状況によって、以下のような機能の設定レベルも切り替えられるようにしてもよい。
（１）画面の明るさ設定
（２）音量設定（マナーモード含む）
（３）ＷｉＦｉ（登録商標）設定
（４）Ｂｌｕｅｔｏｏｔｈ（登録商標）設定
（５）画面タッチ操作の感度設定
（６）文字サイズ設定
【００５３】
また、本実施形態の情報処理装置１は、携帯電話・スマートフォンに限らず、他の装置（例えば、ゲーム機、タブレットＰＣ（Ｐｅｒｓｏｎａｌ  Ｃｏｍｐｕｔｅｒ）、ノートＰＣ、ＰＤＡ（Ｐｅｒｓｏｎａｌ  Ｄａｔａ  Ａｓｓｉｓｔａｎｔｓ：携帯情報端末）にも適用可能である。
【００５４】
以下、本発明の特徴を付記する。
上記の実施形態の一部又は全部は、以下の付記のようにも記載されうるが、以下には限られない。
（付記１）
図７は、付記１の構成図である。こで、図７と図１との対応について説明する。図７に示す機能部６０は、図１のＲＯＭ１１や、ＲＡＭ１２に保持されているアプリケーションに相当し、図７の入力検出部６１は、図１のタッチパネル１３に相当する。また、図７の入力検出制限部６２は、図１のＣＰＵ１６の一機能に相当し、図７の設定部６３は、図１のＣＰＵ１６の一機能に相当する。
【００５５】
この図に示すように、付記１記載の発明は、
所定の機能を実現する機能部６０と、
入力操作子の近接又は接触を検出する入力検出部６１と、
前記入力検出部６１の少なくとも一部の検出を制限する入力検出制限部６２と、
前記入力検出制限部６２が前記入力検出部６１の少なくとも一部の検出を制限している場合に、前記機能部６０における動作レベルを、前記入力検出部６１で検出可能な所定の操作に基づく設定レベルに設定する設定部６３と
を備えることを特徴とする情報処理装置である。
【００５６】
（付記２）
前記入力検出部で検出可能な前記所定の操作に基づいて、前記入力検出制限部による少なくとも一部の検出に対する制限を解除する入力検出制限解除部を更に備えることを特徴とする請求項１に記載の情報処理装置である。
【００５７】
（付記３）
前記所定の操作は、前記機能部における動作レベルに対応する複数の設定レベルに対応し、前記設定部は、前記機能部における動作レベルを、前記入力検出部による所定の操作に対応する設定レベルに設定することを特徴とする付記１または２に記載の情報処理装置である。
【００５８】
（付記４）
誤操作を防止するためのロック画面を表示する表示部と、前記入力操作子による操作に応じて画面上を移動可能なロック解除アイコンと、ロック解除に対応するロック解除位置アイコンと、前記機能部における動作レベルに対応する設定レベルアイコンとを、前記ロック画面上に表示させる表示制御部とを更に備え、前記設定部は、前記入力検出部によって、前記ロック解除アイコンが前記設定レベルアイコンの位置に移動させられたことが検出されると、前記機能部における動作レベルを、前記設定レベルアイコンに対応する設定レベルに設定することを特徴とする付記１から３のいずれかに記載の情報処理装置である。
【００５９】
（付記５）
前記表示制御部は、前記ロック解除位置アイコンと前記設定レベルアイコンとを、前記ロック解除アイコンの周囲に配置することを特徴とする付記４に記載の情報処理装置である。
【００６０】
（付記６）
前記表示制御部は、前記ロック解除位置アイコンと前記設定レベルアイコンとを、前記ロック解除アイコンに対して、縦一列に配置することを特徴とする付記４に記載の情報処理装置である。
【００６１】
（付記７）
前記表示制御部は、前記ロック解除アイコンと前記設定レベルアイコンと前記ロック解除位置アイコンとを、横一列に配置することを特徴とする付記４に記載の情報処理装置である。
【００６２】
（付記８）
前記表示制御部は、前記ロック解除アイコンと前記ロック解除位置アイコンとを横一列に配置し、更に前記入力操作子による操作によって画面上を移動可能な設定レベル指示アイコンを前記表示部に表示するとともに、該設定レベル指示アイコンの周囲に前記設定レベルアイコンを配置することを特徴とする付記４に記載の情報処理装置である。
【００６３】
（付記９）
入力操作子の近接又は接触を検出するステップと、前記入力操作子による少なくとも一部の検出を制限するステップと、前記入力操作子による少なくとも一部の検出を制限している場合に、所定の機能における動作レベルを、前記入力操作子による検出可能な所定の操作に基づく設定レベルに設定するステップとを含むことを特徴とする動作設定方法である。
【００６４】
（付記１０）
コンピュータに、入力操作子の近接又は接触を検出する入力検出機能、前記入力操作子による少なくとも一部の検出を制限する入力検出制限機能、前記入力操作子による少なくとも一部の検出を制限している場合に、所定の機能における動作レベルを、前記入力操作子による検出可能な所定の操作に基づく設定レベルに設定する設定機能を実行させることを特徴とするプログラムである。
【００６５】
（付記１１）
前記設定部は、設定レベルとして、通常の使用である通常状態と消費電力が低い低消費電力状態とを設定することを特徴とする付記１から８のいずれかに記載の情報処理装置である。
【符号の説明】
【００６６】
１  情報処理装置
１０  通信部
１１  ＲＯＭ
１２  ＲＡＭ
１３  タッチパネル
１４  表示部
１５  キー操作部
１６  ＣＰＵ
【図１】
2014137623.tif 000003
【図２】
2014137623.tif 000004
【図３】
2014137623.tif 000005
【図４】
2014137623.tif 000006
【図５】
2014137623.tif 000007
【図６】
2014137623.tif 000008
【図７】
2014137623.tif 000009